(57)【特許請求の範囲】
【請求項１】
避難時に、エアの注入により滑降部とその両側のサポート部からなるシューターを展張させて、人が滑り降りて避難できるようにした避難装置において、前記サポート部を滑降部に対して起立した断面略楕円形状に展張して設けると共に、前記サポート部の上部を滑降部に相対して折り畳み可能且つエア注入により膨張可能な補強中空部材により連結してなる避難装置。
【請求項２】
サポート部と補強中空部材とを通気孔により通気可能に連結してなる請求項１に記載の避難装置。
【請求項３】
両側のサポート部を補強中空部材を介して空気連通可能に連結してなる請求項２に記載の避難装置。
【請求項４】
前記サポート部内に横スペーサーを設けて、前記サポート部が横スペーサーにより断面略楕円形状に展張するようにしてなる請求項１、２又は３に記載の避難装置。
【請求項５】
前記横スペーサーに複数の流通孔を設けて、該流通孔を通ってエアの注入を行うようにした請求項４に記載の避難装置。
【請求項６】
前記サポート部の断面略楕円形状の短径と長径の比が１：１．２〜１：４である請求項４又は５に記載の避難装置。
【請求項７】
前記断面略楕円形状が、略楕円形、略長円形、略凹凸柱状形又は略卵形である請求項４、５又は６に記載の避難装置。
【請求項８】
上下２枚のシートからなる滑降部を前記サポート部の側面下部に折り畳み可能且つ膨張可能に設けると共に、滑降部内に該滑降部の長手方向に沿って縦スペーサーを設け、前記滑降部が縦スペーサにより滑降溝を形成して展張するようにした請求項１乃至７のいずれかに記載の避難装置。
【請求項９】
上下２枚のシート間の中空部と前記サポート部の側面中空部との間に連通孔を設け、連通孔を介して、サポート部と滑降部に同時にエアを注入するようにした請求項８に記載の避難装置。
【請求項１０】
前記縦スペーサーに複数の流通孔を設けて、該流通孔を通ってエアの注入を行うようにした請求項８又は９に記載の避難装置。
【請求項１１】
前記滑降部の滑降面に柔軟な布を添設してなる請求項１乃至１０のいずれかに記載の避難装置。
【発明の詳細な説明】
【０００１】
【発明の属する技術分野】
本発明は、避難時にエアの注入によりシューターを展張させて人が滑り降りて避難できるようにした避難装置に関する。
【０００２】
【従来の技術】
従来、低層階の建築物や乗り物からの避難時にエアの注入によりシューターを展張させて、人が滑り降りて避難できるようにした避難装置は、特開平９−２０１４２３明細書に記載のように、滑降部の両側に断面円形状のサポート部を設けたものが知られている。
【０００３】
【発明が解決しようとする課題】
しかし、シューターのサポート部は、転落防止の安全性確保のために、充分な高さが必要であり、従来の円筒形状のサポート部では充分な高さを確保するためにはシューター全体の幅を広くする必要があり、窓又は扉等の狭い場所に避難装置を設置することが困難であった。
【０００４】
【課題を解決するための手段】
そこで、本発明は上記課題を解決するために、避難時に、エアの注入により滑降部とその両側のサポート部からなるシューターを展張させて、人が滑り降りて避難できるようにした避難装置において、滑降部の両側に、該滑降部に対して起立した断面略楕円形状に展張するサポート部を設けてなる避難装置を提供するものである。
【０００５】
本発明によれば、サポート部が滑降部に対して起立した断面略楕円形状に展張するから、サポート部の高さを充分に確保することができ、且つ、シューター全体の幅を小さくすることができ、幅の狭い場所にも避難装置を設置することができると共に、断面略楕円形状により上下方向の強度が向上してシューターの屈曲や弛みを防ぐことができ、更に、断面円形状のサポート部と同じ寸法の材料によって、同じ高さを有するサポート部を遥かに小さい体積で形成することができるから、エア注入による展張をそれだけ迅速に行うことができる。
【０００６】
また、本発明は、請求項１に記載の通り、前記サポート部の上部を滑降部に相対して折り畳み可能且つエア注入により膨張可能な補強中空部材により連結してなる避難装置を提供するものである。
本発明によれば、サポート部の上部を補強中空部材により滑降部に相対して連結することにより、サポート部の上部の開閉角度を一定に保持することができ、且つ、滑降部に相対してサポート部の上部に覆いを設けた場合にその垂れ下がりを防止することができる。
【０００７】
また、本発明は、請求項２に記載のように、サポート部と補強中空部材とを通気孔により通気可能に連結してなる請求項１に記載の避難装置を提供するものである。
本発明によれば、折り畳み可能且つ膨張可能な補強中空部材を、通気孔によってサポート部と同時に膨張することができ、且つ、使用後には同時に空気を抜いて折り畳むことができる。
【０００８】
また、本発明は、請求項３に記載のように、両側のサポート部を補強中空部材を介して空気連通可能に連結してなる請求項２に記載の避難装置を提供するものである。
本発明によれば、補強中空部材を介して空気連通可能に連結してなる両側のサポート部の空気圧を均一に保持することができるから、サポート部の安定性を増強することができる。
【０００９】
また、本発明は、請求項４に記載の通り、前記サポート部内に横スペーサーを設けて、前記サポート部が横スペーサーにより断面略楕円形状に展張するようにしてなる請求項１、２又は３に記載の避難装置を提供するものである。
本発明によれば、サポート部内に設けた横スペーサーにより、横方向への膨らみを規制してサポート部を断面略楕円形状に展張することができる。
【００１０】
また、本発明は、請求項５に記載の通り、前記横スペーサーに複数の流通孔を設けて、該流通孔を通ってエアの注入を行うようにした請求項４に記載の避難装置を提供するものである。
本発明によれば、横スペーサーに設けた複数の流通孔を通ってエアの流入を行うから、サポート部に同時に短時間にエアを注入することができる。
【００１１】
また、本発明は、請求項６に記載の通り、前記サポート部の断面略楕円形状の短径と長径の比が１：１．２〜１：４である請求項４又は５に記載の避難装置を提供するものである。
本発明によれば、サポート部の高さを充分に確保できると共に、シューター全体の幅を狭くすることができる。
【００１２】
また、本発明は、請求項７に記載の通り、前記断面略楕円形状が、略楕円形、略長円形、略凹凸柱状形又は略卵形である請求項４、５又は６に記載の避難装置を提供するものである。
本発明によれば、サポート部の断面略楕円形状が、略楕円形、略長円形、略凹凸柱状形又は略卵形であるから、サポート部の高さを充分に確保し、且つシューター全体の幅を狭くすることができ、幅の狭い場所にも避難装置を設置することができる。
【００１３】
また、本発明は、請求項８に記載のように、上下２枚のシートからなる滑降部を前記サポート部の側面下部に折り畳み可能且つ膨張可能に設けると共に、滑降部内に該滑降部の長手方向に沿って縦スペーサーを設け、前記滑降部が縦スペーサにより滑降溝を形成して展張するようにした請求項１乃至７のいずれかに記載の避難装置を提供するものである。
【００１４】
本発明によれば、滑降部内に長手方向に沿って設けた縦スペーサーにより、膨張した滑降部を強化し安定した形状に維持することができると共に、滑降部が縦スペーサにより滑降溝を形成して展張するから、滑降する者の滑降方向を一定に安定させることができる。
【００１５】
また、本発明は、請求項９に記載のように、上下２枚のシート間の中空部と前記サポート部の側面中空部との間に連通孔を設け、連通孔を介して、サポート部と滑降部に同時にエアを注入するようにした請求項８に記載の避難装置を提供するものである。
本発明によれば、サポート部と滑降部に同時にエアを注入することができるから、シューターに短時間でエアを注入することができると共に、１箇所又は少数箇所のエア注入装置によりシューター全体にエアを注入することができる。
【００１６】
また、本発明は、請求項１０に記載の通り、前記縦スペーサーに複数の流通孔を設けて、該流通孔を通ってエアの注入を行うようにした請求項８又は９に記載の避難装置を提供するものである。
本発明によれば、縦スペーサーに設けた複数の流通孔を通ってエアの注入を行うから、滑降部に同時に短時間にエアを注入することができる。
【００１７】
また本発明は、請求項１１に記載の通り、前記滑降部の滑降面に柔軟な布を添設してなる請求項１乃至１０のいずれかに記載の避難装置を提供するものである。
本発明によれば、添設した布により滑降面を保護し、誤って滑降面を傷つけ滑降部が破れたりするのを防止すると共に、滑降者を保護し、その円滑、安全な滑降を容易にすることができる。
【００１８】
【発明の実施の形態】
本発明の実施の形態を図示する実施例に基づいて説明する。
図１及び図２に示す実施例において、本発明に係る避難装置は、滑降部２とその両側のサポート部３を有するシューター１からなる。２ａは下端クッション部である。
【００１９】
シューター１は、ポリエステル系合成繊維、合成ゴム等の折り畳み可能な柔軟性のある材質からなり、平常時は折り畳んで格納しておくことができる。避難装置には、図示しないが上端部にエア注入装置が設けてあり、避難時にエア注入装置を作動させるとシューター１及び滑降部２が展張して断面凹字状の滑り台状になり、人が滑り降りて避難できるように構成してある。
【００２０】
エア注入装置は、公知のものを使用可能であり、センサー又は警報装置に連動して作動し、自動的にシューター１を展張するようにすることもでき、また、レバー又はスイッチ等の手動によりエア注入装置を作動させて展張するようにすることも可能である。
サポート部３は、図２に示すように、平板状の滑降部２の両側に、滑降部２に対して起立した断面略楕円形状に縦長形状に展張するように設けてある。
【００２１】
図示の実施例のように、サポート部３の断面を略楕円形状にすることにより、サポート部３の高さを充分に確保しつつシューター１全体の幅を小さくすることができる。
例えば、滑降部２の幅が５０ｃｍ、サポート部３の高さが６０ｃｍの場合、サポート部３の形状が断面円形状ではシューター１全体の幅が１７０ｃｍとなり、１７０ｃｍより幅の狭い場所への設置が困難である。
【００２２】
これに対し、サポート部３の断面略楕円形状の短径と長径の比を１：１．２〜１：４にすると、高さ６０ｃｍの場合に横幅は１５ｃｍ〜５０ｃｍになるから、シューター１全体の幅を略８０ｃｍ〜１５０ｃｍにすることができ、ドアや窓等の狭い場所に設置することも可能である。
【００２３】
また、例えば、サポート部３の材料の寸法を直径６０ｃｍの断面円形状と同じ寸法にして図２又は図４に記載のような幅３０ｃｍの長円形状にすると、サポート部３の高さを約７７ｃｍにでき、同じ寸法の材料でサポート部３の高さを高くして安全性を高めることができる。従って、従来は外が見えることを防ぐために、大円形サポート部の上に更に小円形のサポート部を重ねて２段にサポート部を設けていたが、その２段目を設ける必要がなくなる。
【００２４】
また、サポート部３を長円形状のようにほぼ楕円形断面にすることにより、上下方向の強度が向上するからシューター１が屈曲したり弛むことを防止でき、人が滑り降りる毎に上下に揺れないから安全に避難することができる。
更に、上記比較例の場合、直径６０ｃｍの円形の断面積は２８２７平方ｃｍであり、幅３０ｃｍで高さ７７ｃｍの長円形の断面積は２１１６平方ｃｍであるから、サポート部３を断面長円形状にすることにより、体積を約２５％減少することができ、少ないエア注入量により展張をそれだけ迅速に行うことができる。
【００２５】
このように、同一寸法で断面を略楕円形状にすることによって、断面円形状より遥かに内部空間を小さくでき、それだけ瞬時にシューターを展張することが可能になる。
サポート部３の断面略楕円形状は、図２に示す実施例のように向かい合う上下の円弧部分を左右の直線部分で結んでなる長円形状に限らず、楕円形状、又は図３の（ａ）（ｂ）に示すように上部が広くて下部が狭い卵形、下部が広くて上部が狭い卵形、又は、図６に記載の凹凸柱状形とすることも可能である。
【００２６】
また、図２の実施例の場合、サポート部３は、内部に複数の横スペーサー４を設けて、横スペーサー４によりサポート部３の横方向の膨らみを規制して、横スペーサー４に挟まれた中空部６を断面ほぼ四角形状に展張し、両端の中空部７を断面円弧状に展張するように構成してある。この場合、横スペーサー４は柔軟な布状又は網状の部材からなり、サポート部３内に最少でも上下に２枚設ける必要がある。また、両端の中空部７が断面半円形状以下の円弧状に展張するように、横スペーサー４を設けることが、シューター１全体の幅を狭くする上で好ましい。なお、サポート部３内に横スペーサー４を１枚だけ設けることも可能であり、この場合は、断面達磨形状若しくはピーナッツ形状になる。
【００２７】
横スペーサー４は、図４に示す実施例の場合、サポート部３の長手方向の全体にわたって設けてあり、横スペーサー４に複数の流通孔５を設けて、流通孔５を通ってサポート部３の全体にエアの注入を行うことができるように構成してある。
また、流通孔５に代えて横スペーサー４を網状にしたり、サポート部３の長手方向に所定間隔を空けて設けることも可能であり、上下方向、斜め方向、屈曲状、又は迷路状に設けることも可能である。  なお、間隔を空ける場合には、流通孔５を設ける必要はないことは勿論である。
【００２８】
次いで、滑降部２は、図２に示すように、上下２枚のシート８からなり、サポート部３の内側面下部に設けてある。
図２の実施例の場合、シート８間の中空部９には、サポート部３の側面中空部６に連通する連通孔１０を設けて、滑降部２とサポート部３に同時にエアを注入するように構成してある。この場合、滑降部２の中空部９とサポート部３の中空部６を直接に連結することにより、構造が簡素化できると共に、短時間にエアを注入することができる。
【００２９】
また、実施例の場合、滑降部２内に縦スペーサー１１を設けて、滑降部２が平板状に展張するようにしてある。
縦スペーサー１１は、図４に示す横スペーサー４と同様に、滑降部２の長手方向の全体にわたって設けることができ、縦スペーサー１１に複数の流通孔１２を設けて、流通孔１２を通ってエアの注入を行うように構成することができる。
【００３０】
また、図５又は図６に記載の実施例の場合、滑降部２は両側のサポート部３とは空気的には連通せず、サポート部３とは独立にエアを注入して膨張するように構成してあり、滑降部２内には、縦スペーサー１１を設けて、滑降部２がほぼ平板状に展張するように構成してある。
この実施例の場合、滑降部２内に該滑降部２の長手方向に沿って設けた縦スペーサー１１が、前記滑降部２に滑降溝１３を形成して平板状に展張するように構成してあり、これによって、膨張した滑降部２を強化し平板状に安定した形状に維持することができると共に、滑降部２に縦スペーサ１１により形成した滑降溝１３が、滑降する者の滑降方向を一定に安定させることができる。
【００３１】
また、図では省略したが、前記滑降部２の滑降面に柔軟な布を添設することによって、添設した布により滑降面を保護し、誤って滑降面を傷つけ滑降部２が破れたりするのを防止することができると共に、滑降者を保護し、その円滑、安全な滑降を容易にすることができるように構成することができる。
【００３２】
また、図５及び図６に記載の実施例の場合、前記サポート部３の上部には、滑降部２の滑走面に相対して折り畳み可能且つ膨張可能な補強中空部材１４が設けてあり、サポート部３の上部を連結してシューター１のサポート部３が断面形状においてＶ字状に開いたり、ハの字状に閉じたりすることなく、ほぼ凹字状になるように、開閉角度を一定に保持することができるように連結してある。
【００３３】
また、折り畳み可能且つ膨張可能な補強中空部材１４は、仮に滑降者が接触したとしても、柔軟で安全性が高く、また、相当の太さに構成することにより、滑降者の手や腕や首等が引っ掛からないようにすることができる。
この補強中空部材１４は、エアの注入によりパイプ状に膨張してサポート部３の上部を補強するものであるから、サポート部３とは独立にエアの注入ができる構成にすることも可能であり、また、その場合は、補強中空部材１４を斜めにＶ字状やＳ字状にジグザグに連続する構造にすることも可能であり、種々の構造が採用可能である。
【００３４】
実施例の場合は、図６に記載のように、サポート部３と補強中空部材１４との連結部に通気孔１５を設けて、サポート部３と補強中空部材１４とを通気孔１５により通気可能に連結して、サポート部３と同時に膨張することができ、且つ、使用後には同時に空気を抜いて折り畳むことができるように構成してある。
また、両側のサポート部３を補強中空部材１４を介して通気孔１５により空気連通可能に連結することによって、補強中空部材１４を介して両側のサポート部３の空気圧を均一に保持することができ、これによってサポート部３の強度的な安定性を増強することができる。
【００３５】
また、滑降部２に相対してサポート部３の上部に覆いを設けた場合には、補強中空部材１４によりその垂れ下がりを防止することができる。
なお、図６に記載の実施例の場合、サポート部３は、内部に複数の横スペーサー４を設けて、横スペーサー４によりサポート部３の全体としての横方向の膨らみを規制して、横スペーサー４に挟まれた中空部６及び両端の中空部７をほぼ断面円状に展張し、全体として凹凸のある柱状断面になるように構成してある。
この場合、サポート部３は、長手方向には中空円柱が縦に連なり、その側面が凹凸状をなす構造となり、強度的に安定した構造とすることができる。
【００３６】
なお、この実施例の場合も、横スペーサー４は、図４に示す実施例の場合と同様に、サポート部３の長手方向の全体にわたって設けてあり、横スペーサー４に複数の流通孔５を設けて、流通孔５を通ってサポート部３の全体にエアの注入を行うことができるように構成してある。
また、流通孔５に代えて横スペーサー４を網状にしたり、サポート部３の長手方向に所定間隔を空けて設けることも可能であり、上下方向、斜め方向、屈曲状、又は迷路状に設けることも可能である。
【００３７】
【発明の効果】
以上の通り、本発明に係る避難装置によれば、避難時に、エアの注入により滑降部とその両側のサポート部からなるシューターを展張させて、人が滑り降りて避難できるようにした避難装置において、滑降部の両側に、該滑降部に対して起立した断面略楕円形状に展張するサポート部を設けてなる構成を有することにより、サポート部が滑降部に対して起立した断面略楕円形状に展張するから、サポート部の高さを充分に確保し、且つシューター全体の幅を小さくすることができ、幅の狭い場所にも避難装置を設置することができると共に、断面略楕円形状により上下方向の強度が向上してシューターの屈曲や弛みを防ぐことができ、更に、断面円形状のサポート部と同じ寸法の材料により、同じ高さのサポート部を遥かに小さい体積で形成することができるから、エア注入による展張をそれだけ迅速に行うことができる効果がある。
【００３８】
また、本発明は、請求項１に記載の通り、前記サポート部の上部を滑降部に相対して折り畳み可能且つエア注入により膨張可能な補強中空部材により連結してなる構成を有することにより、サポート部の上部を補強中空部材により滑降部に相対して連結することにより、サポート部の上部の開閉角度を一定に保持することができ、且つ、滑降部に相対してサポート部の上部に覆いを設けた場合にその垂れ下がりを防止することができる効果がある。
【００３９】
また、本発明は、請求項２に記載のように、サポート部と補強中空部材とを通気孔により通気可能に連結してなる請求項１に記載の構成を有することにより、折り畳み可能且つ膨張可能な補強中空部材を、通気孔によってサポート部と同時に膨張することができ、且つ、使用後には同時に空気を抜いて折り畳むことができる効果がある。
【００４０】
また、本発明は、請求項３に記載のように、両側のサポート部を補強中空部材を介して空気連通可能に連結してなる請求項２に記載の構成を有することにより、補強中空部材を介して空気連通可能に連結してなる両側のサポート部の空気圧を均一に保持することができるから、サポート部の安定性を増強することができる効果がある。
【００４１】
また、本発明は、請求項４に記載の通り、前記サポート部内に横スペーサーを設けて、前記サポート部が横スペーサーにより断面略楕円形状に展張するようにしてなる請求項１、２又は３に記載の構成を有することにより、サポート部内に設けた横スペーサーによって、横方向への膨らみを規制してサポート部を確実に断面略楕円形状に展張することができる効果がある。
【００４２】
また、本発明は、請求項５に記載の通り、前記横スペーサーに複数の流通孔を設けて、該流通孔を通ってエアの注入を行うようにした請求項４に記載の構成を有することにより、横スペーサーに設けた複数の流通孔を通ってエアの注入を行うことができるから、サポート部全体に短時間にエアを注入することができる効果がある。
【００４３】
また、本発明は、請求項６に記載の通り、前記サポート部の断面略楕円形状の短径と長径の比が１：１．２〜１：４である請求項４又は５に記載の構成を有することにより、サポート部の高さを充分に確保できると共に、シューター全体の幅を狭くすることができる効果がある。
【００４４】
また、本発明は、請求項７に記載の通り、前記断面略楕円形状が、略楕円形、略長円形、略凹凸柱状形又は略卵形である請求項４、５又は６に記載の構成を有することにより、サポート部の断面略楕円形状が、略楕円形、略長円形、略凹凸柱状形又は略卵形であるから、サポート部の高さを充分に確保しつつシューター全体の幅を狭くすることができ、幅の狭い場所にも避難装置を設置することができる効果がある。
【００４５】
また、本発明は、請求項８に記載のように、上下２枚のシートからなる滑降部を前記サポート部の側面下部に折り畳み可能且つ膨張可能に設けると共に、滑降部内に該滑降部の長手方向に沿って縦スペーサーを設け、前記滑降部が縦スペーサにより滑降溝を形成して平板状に展張するようにした請求項１乃至７のいずれかに記載の構成を有することにより、滑降部内に長手方向に沿って設けた縦スペーサーにより、膨張した滑降部を強化し平板状に安定した形状に維持することができると共に、滑降部が縦スペーサにより滑降溝を形成して平板状に展張するから、滑降する者の滑降方向を一定に安定させることができる効果がある。
【００４６】
また、本発明は、請求項９に記載のように、上下２枚のシート間の中空部と前記サポート部の側面中空部との間に連通孔を設け、連通孔を介して、サポート部と滑降部に同時にエアを注入するようにした請求項８に記載の構成を有することにより、サポート部と滑降部に同時にエアを注入することができるから、シューターに短時間でエアを注入することができると共に、１箇所又は少数箇所のエア注入装置によりシューター全体にエアを注入することができる効果がある。
【００４７】
また、本発明は、請求項１０に記載の通り、前記縦スペーサーに複数の流通孔を設けて、該流通孔を通ってエアの注入を行うようにした請求項８又は９に記載の構成を有することにより、縦スペーサーに設けた複数の流通孔を通ってエアの注入を行うから、滑降部に同時に短時間にエアを注入することができる効果がある。
【００４８】
また本発明は、請求項１１に記載の通り、前記滑降部の滑降面に柔軟な布を添設してなる請求項１乃至１０のいずれかに記載の構成を有することにより、添設した布により滑降面を保護し、誤って滑降面を傷つけ滑降部が破れたりするのを防止すると共に、滑降者を保護し、その円滑、安全な滑降を容易にすることができる効果がある。
【図面の簡単な説明】
【図１】  本発明避難装置の一実施例の要部を示す概略斜視図
【図２】  その一実施例の一部縦断正面図
【図３】  他の実施例の一部縦断正面図
【図４】  その他の実施例の要部を示す一部縦断概略斜視図
【図５】  本発明避難装置の他の実施例の要部を示す概略斜視図
【図６】  その他の実施例の一部縦断正面図
【符号の説明】
１  シューター
２  滑降部
３  サポート部
４  横スペーサー
５  流通孔
６  中空部
７  中空部
８  シート
９  中空部
１０  連通孔
１１  縦スペーサー
１２  流通孔
１３  滑降溝
１４  補強中空部材
１５  通気孔
【図１】
0003933947.tif 000002
【図２】
0003933947.tif 000003
【図３】
0003933947.tif 000004
【図４】
0003933947.tif 000005
【図５】
0003933947.tif 000006
【図６】
0003933947.tif 000007